(57)【要約】【課題】  複数の音声を切り換えて出力するときに各音声の出力感度を自在に調整できる赤外線受信装置を提供する。【解決手段】  赤外線信号を受信する多チャンネル用赤外線受信装置であって、複数チャンネルの音声信号の何れか一つの音声信号を音声選択状態に設定する選択状態設定手段ＳＷと、赤外線信号を光電変換して赤外線受信信号を出力するフォトダイオード１１と、フォトダイオード１１から出力される赤外線受信信号のうち、音声選択状態にある音声信号を選択的に復調して出力する復調回路部２０と、音声選択状態に従ってフォトダイオード１１の出力端子側に対して切り換えて接続される複数の共振回路１４、１５及びフォトダイオード１１により生じる容量成分を有する感度調整回路部１６とを備える。【選択図】        図３
2006222767.tif 000002
【特許請求の範囲】
【請求項１】
音声信号が複数チャンネルに多重化され、前記音声信号のそれぞれが搬送周波数の異なる複数の音声要素を含んでいる赤外線信号を受信する多チャンネル用赤外線受信装置であって、
前記複数チャンネルの音声信号の何れか一つの音声信号を音声選択状態に設定する選択状態設定手段と、
前記赤外線信号を光電変換して赤外線受信信号を出力するフォトダイオードと、
前記赤外線受信信号のうち、前記音声選択状態にある音声信号を選択的に復調して出力する復調回路部と、
前記フォトダイオードの出力端子側に接続される複数の共振回路及び前記フォトダイオードにより生じる容量成分を有する感度調整回路部とを備える多チャンネル用赤外線受信装置。
【請求項２】
前記選択状態設定手段は、前記感度調整回路部の共振周波数が前記音声選択状態となった音声信号の搬送周波数と最も近づくように、前記複数の共振回路の何れかを前記フォトダイオードの出力端子側に接続する請求項１記載の多チャンネル用赤外線受信装置。
【請求項３】
前記感度調整回路部の共振周波数は、前記音声選択状態となった音声信号に含まれる前記複数の音声要素の搬送周波数のそれぞれに対して最も近づくように設定される請求項２記載の多チャンネル用赤外線受信装置。
【請求項４】
請求項１〜３の何れか一項に記載の多チャンネル用赤外線受信装置を備え、前記多チャンネル用赤外線受信装置で受信される、音声信号が複数チャンネルに多重化され、前記赤外線信号を送信する赤外線送信装置と、前記赤外線信号に含まれる前記複数チャンネルの音声信号を生成する信号生成装置とを備える多チャンネル用赤外線送受信システム。
【発明の詳細な説明】
【技術分野】
【０００１】
本発明は、音声信号が複数チャンネルに多重化され、前記音声信号のそれぞれが搬送周波数の異なる複数の音声要素を含んでいる赤外線信号を受信する多チャンネル用赤外線送受信装置及びそれを備えた多チャンネル用赤外線送受信システムに関する。
【背景技術】
【０００２】
赤外線を用いて音声信号を空間伝送する技術が提案されている。例えば、自動車内などでワイヤレスヘッドホンを用いて音声や音楽を聴く場合、自動車の車内に搭載された音声再生装置、ビデオ再生装置などの再生装置側に赤外線送信装置を設け、ヘッドホン側に赤外線受信装置を設けておく。そして、発光ダイオードを備えた赤外線送信装置は、再生装置によって再生された音声信号を赤外線信号に変換して送出し、赤外域に受光感度を有するフォトダイオードを備えた赤外線受信装置は、受信した赤外線信号を音声信号に復調してスピーカから音声出力する（例えば、特許文献１参照）。
【０００３】
また、赤外線送信装置から赤外線受信装置へ複数チャンネルの音声信号を多重化して送信することもできる。この場合、赤外線受信装置で受信される赤外線信号には、互いに搬送周波数の異なる複数の音声信号が含まれることになる。そして、赤外線受信装置側にチャンネル選択スイッチを設け、選択されたチャンネルの音声信号のみがスピーカから出力されるように構成される。
【０００４】
図６に示すのは、従来の赤外線受信装置の概略的な回路図である。
図示するように、赤外線送信装置から送信された赤外線信号を受信するフォトダイオードＰＤと、フォトダイオードＰＤから出力される赤外線受信信号を復調する復調回路部３０と、フォトダイオードＰＤの出力端子側に対して接続される共振回路３１を有し、その共振回路３１を構成するキャパシタＣのキャパシタンス及びコイルＬのインダクタンスとフォトダイオードＰＤの容量成分Ｃｄのキャパシタンスとで共振周波数を決定する感度調整回路部とを備えている。そして、フォトダイオードＰＤから出力される音声信号を含む赤外線受信信号が復調回路部で復調され、スピーカから出力される。このとき、赤外線受信装置における音声信号の感度を高めるために、上記共振周波数は赤外線信号として伝送される音声信号の搬送周波数と同じであることが好ましい。
【特許文献１】特開２００３−１０１４８３号公報
【発明の開示】
【発明が解決しようとする課題】
【０００５】
従来の赤外線送信装置及び赤外線受信装置の間では、一つのチャンネルの音声信号を赤外線信号を用いて搬送するときには問題はないものの、複数のチャンネルの音声信号を同じ赤外線信号に多重化して搬送したとすると、赤外線受信装置における複数の音声信号の受信感度が異なってしまうという問題が発生する。具体的には、図６に示すような回路を備えた赤外線受信装置において、複数の音声信号の搬送周波数と回路に固有の共振周波数とが異なるため、各音声信号の感度が異なってしまう。
【０００６】
更に、各音声信号がモノラル音声の場合（つまり、各音声信号が一つの音声要素しか含まない場合）には問題とはならないが、各音声信号にステレオ音声のような複数の音声要素が含まれる場合には更に別の問題が発生する。それは、互いに搬送周波数の異なる複数の音声要素を含む音声再生信号を復調して、スピーカから出力しなければならないが、回路に固有の共振周波数と各搬送周波数が異なれば感度が変わってしまうため、ステレオ音声を構成する各音声要素に出力感度の大小が発生し、聴きづらい音声になるという問題である。
【０００７】
本発明は、上記の課題に鑑みてなされたものであり、その目的は、複数の音声を切り換えて出力するときに各音声の出力感度を自在に調整できる多チャンネル用赤外線受信装置及びそれを備えた多チャンネル用赤外線送受信システムを提供する点にある。
【課題を解決するための手段】
【０００８】
上記目的を達成するための本発明に係る多チャンネル用赤外線受信装置の特徴構成は、音声信号が複数チャンネルに多重化され、前記音声信号のそれぞれが搬送周波数の異なる複数の音声要素を含んでいる赤外線信号を受信する多チャンネル用赤外線受信装置であって、前記複数チャンネルの音声信号の何れか一つの音声信号を音声選択状態に設定する選択状態設定手段と、前記赤外線信号を光電変換して赤外線受信信号を出力するフォトダイオードと、前記赤外線受信信号のうち、前記音声選択状態にある音声信号を選択的に復調して出力する復調回路部と、前記フォトダイオードの出力端子側に接続される複数の共振回路及び前記フォトダイオードにより生じる容量成分を有する感度調整回路部とを備える点にある。
【０００９】
上記特徴構成によれば、選択状態設定手段が、複数の音声信号の何れか一つの音声信号を音声選択状態に設定し、フォトダイオードが、音声信号が複数チャンネルに多重化され、前記音声信号のそれぞれが搬送周波数の異なる複数の音声要素を含んでいる赤外線信号を光電変換して赤外線受信信号を出力し、感度調整回路部が、フォトダイオードの出力端子側に接続される複数の共振回路及びフォトダイオードにより生じる容量成分を有し、復調回路部が、フォトダイオードから出力される赤外線受信信号のうち、音声選択状態にある音声信号を選択的に復調して出力している。つまり、選択された音声信号を復調するときには、感度調整回路の共振周波数が音声信号の搬送周波数と最も近づくように、フォトダイオードの出力端子側に接続される共振回路が切り換え接続されることになる。その結果、音声信号が複数チャンネルに多重化されている状態で、その内のどの音声信号を選択的に復調するとしても、感度調整回路の共振周波数と復調する音声信号の搬送周波数とを所望の関係にすることができるので、音声信号を所望の感度で復調して出力できるようになる。
従って、複数の音声を切り換えて出力するときに各音声の出力感度を自在に調整できる赤外線受信装置が提供されることになる。
【００１０】
本発明に係る多チャンネル用赤外線受信装置の別の特徴構成は、前記選択状態設定手段は、前記感度調整回路部の共振周波数が前記音声選択状態となった音声信号の搬送周波数と最も近づくように、前記複数の共振回路の何れかを前記フォトダイオードの出力端子側に接続する点にある。本発明において音声信号の搬送周波数とは、音声信号が搬送周波数の異なる複数の音声要素を含んで構成されているとき、各音声要素の搬送周波数の平均値又は他のルールに基づいて決定された代表値を指す。
【００１１】
上記特徴構成によれば、選択状態設定手段は、感度調整回路部の共振周波数が音声選択状態にある音声信号の搬送周波数と最も近づくように、複数の共振回路の何れかをフォトダイオードの出力端子側に対して切り換えて接続するので、複数の音声信号の内のどの音声信号が選択されたとしても、共振周波数が音声信号の搬送周波数に近い値になる。その結果、各音声信号を良好な所望の出力感度で復調できる。例えば、複数の音声信号のどちらを復調しても、同等の音質で聴くことが可能となる。
【００１２】
本発明に係る多チャンネル用赤外線受信装置の別の特徴構成は、前記感度調整回路部の共振周波数は、前記音声選択状態となった音声信号に含まれる前記複数の音声要素の搬送周波数のそれぞれに対して最も近づくように設定される点にある。
【００１３】
上記特徴構成によれば、感度調整回路部の共振周波数が、音声選択状態にある音声信号に含まれる複数の音声要素の搬送周波数と最も近づくように設定されるので、音声選択状態にある音声信号を出力するときに、その音声信号に含まれる各音声要素を同等に良好な感度で出力することができる。例えば、複数の音声信号のどちらを復調しても同等の音質で聴くことが可能となり、且つ、ステレオ音声に含まれる右側用音声と左側用音声という複数の音声要素を同等の音質で聴くことが可能となる。
【００１４】
上記目的を達成するための本発明に係る多チャンネル用赤外線送受信システムの特徴構成は、上記多チャンネル用赤外線受信装置を備え、前記多チャンネル用赤外線受信装置で受信される、音声信号が複数チャンネルに多重化され、前記赤外線信号を送信する赤外線送信装置と、前記赤外線信号に含まれる前記複数チャンネルの音声信号を生成する信号生成装置とを備える点にある。
【００１５】
上記特徴構成によれば、信号生成装置が複数チャンネルの音声信号を生成し、赤外線送信装置がその複数の音声信号を多重化した赤外線信号を送信し、赤外線受信装置が上述のように複数チャンネルに多重化された音声信号の内の何れかを選択的に復調することで、上記多チャンネル用赤外線受信装置によるのと同様の作用効果を得ることができる。
【発明を実施するための最良の形態】
【００１６】
以下に図面を参照して本発明に係る多チャンネル用赤外線送受信システム（以下、「赤外線送受信システム」と記載する）の構成について説明する。
図１は、本発明に係る多チャンネル用赤外線受信装置（以下、「赤外線受信装置」と記載する）６と赤外線送信装置５と再生装置（信号生成装置）１とを備えた赤外線送受信システムを自動車内に設けた場合の例である。図１に示すように、自動車内に設けられたビデオや音声などの再生装置１による映像出力信号と音声出力信号の内、映像出力信号は映像信号出力線３を介して映像出力装置４に伝送され、音声出力信号は音声信号出力線２を介して赤外線送信装置５に出力される。
【００１７】
本実施形態では、再生装置１から複数チャンネルの音声が出力され、乗員が何れかのチャンネルの音声を選択して聴くように構成している。そして、再生装置１において映画の再生が行われ、音声が例えば日本語音声と英語音声とを含み、更に、日本語音声及び英語音声のそれぞれがステレオ音声で構成される。つまり、再生装置１は、ステレオ音声という複数の音声要素を含む音声信号が日本語及び英語というように複数チャンネルに多重化された音声出力信号を生成し、赤外線送信装置５へ伝送する。
【００１８】
赤外線送信装置５は、音声信号が複数チャンネルに多重化され、音声信号のそれぞれが搬送周波数の異なる複数の音声要素を含んでいる上記音声出力信号を赤外線信号に変換して送信する。その結果、乗員は赤外線受信装置６を使用して上記赤外線信号を受信することができるので、再生装置１から出力された日本語音声チャンネル及び英語音声チャンネルの何れかを選択して、日本語のステレオ音声又は英語のステレオ音声を聴くことができる。
【００１９】
図２は、ヘッドホンに赤外線受信装置６が搭載された状態を示す図である。
図２に示すように、赤外線受信装置６の電源スイッチ８と、受信チャンネル切り換え用のチャンネル選択スイッチＳＷとが筐体７に設けられている。また、赤外線送信装置５から送信された赤外線送信信号を光電変換して赤外線受信信号を出力するフォトダイオード１１と、音量を調節するボリュームスイッチ９とが設けられている。また、フォトダイオード１１は、赤外線透過カバー１０によって覆われて保護されている。
電源スイッチ８は押し操作を繰り返すことで、オンとオフとが繰り返されるようなスイッチである。また、ボリュームスイッチ９は回転操作することで、その回転量に応じた大きさのボリュームに設定されるスイッチである。フォトダイオード１１は、ＰＩＮフォトダイオードなどの光電変換素子を用いて構成することができる。
【００２０】
図３は、赤外線受信装置６の回路図を概略的に描いたものである。但し、電源スイッチ８及びボリュームスイッチ９は省略している。
図３に示すように、赤外線受信装置６は、赤外線信号を光電変換して赤外線受信信号を出力するフォトダイオード１１と、複数の音声信号の何れか一つの音声信号を音声選択状態に設定する選択状態設定手段としてのチャンネル選択スイッチＳＷと、フォトダイオード１１から出力される上記赤外線受信信号のうち、上記音声選択状態にある音声信号を選択的に復調して出力する復調回路部２０と、上記フォトダイオードの出力端子側に接続される複数の共振回路１４、１５及びフォトダイオード１１により生じる容量成分Ｃｄ（キャパシタンス「Ｃｄ」を有する）を有する感度調整回路部１６とを備える。フォトダイオード１１には電源１２によって逆バイアス電圧が印加されている。また、フォトダイオード１１の入力端子側にはキャパシタ１３が接続されている。
【００２１】
感度調整回路部１６は、共振回路１４及び共振回路１５を備え、図２にも示したチャンネル選択スイッチＳＷによる切り換え操作によって、フォトダイオード１１の出力端子側に接続される共振回路が切り換えられるようになっている。つまり、図２に示したチャンネル選択スイッチＳＷがＡ側（Ａ−ＣＨ）に切り換え操作されたとき、フォトダイオード１１の出力端子側には共振回路１４が接続され、チャンネル選択スイッチＳＷがＢ側（Ｂ−ＣＨ）に切り換え操作されたとき、フォトダイオード１１の出力端子側には共振回路１５が接続される。共振回路１４は、キャパシタンスＣ１を有するキャパシタＣ１とインダクタンスＬ１を有するコイルＬ１とが並列接続されて構成され、共振回路１５はキャパシタンスＣ２を有するキャパシタＣ２とインダクタンスＬ２を有するコイルＬ２とが並列接続されて構成される。
【００２２】
復調回路部２０は、上記チャンネル選択スイッチＳＷがＡ側（Ａ−ＣＨ）に切り換え操作されたときに電源１９から電力が供給されて作動する復調回路１７と、上記チャンネル選択スイッチＳＷがＢ側（Ｂ−ＣＨ）に切り換え操作されたときに電源１９から電力が供給されて作動する復調回路１８とで構成される。
【００２３】
つまり、復調回路１７は、チャンネル選択スイッチＳＷがＡ側（Ａ−ＣＨ）に切り換え操作されることで、共振回路１４がフォトダイオード１１の出力端子側に接続されているときにフォトダイオード１１から出力される赤外線受信信号を復調する。そして、復調回路１８は、チャンネル選択スイッチＳＷがＢ側（Ｂ−ＣＨ）に切り換え操作されることで、共振回路１５がフォトダイオード１１の出力端子側に接続されているときにフォトダイオード１１から出力される赤外線受信信号を復調する。
【００２４】
次に、チャンネル選択スイッチＳＷがＡ側（Ａ−ＣＨ）に切り換え操作されている場合、及び、Ｂ側（Ｂ−ＣＨ）に切り換え操作されている場合の赤外線受信装置の動作について説明する。
【００２５】
チャンネル選択スイッチＳＷがＡ側（Ａ−ＣＨ）に切り換え操作されている場合、フォトダイオード１１の出力端子側には共振回路１４が接続され、且つ、フォトダイオード１１から出力される赤外線受信信号は復調回路１７で復調される。このとき、フォトダイオード１１には見かけ上、キャパシタＣｄが並列接続された状態となっているので、共振回路１４と上記キャパシタＣｄとを含む回路の共振周波数：ｆ１は以下の数１で表すことができる。
【００２６】
【数１】
2006222767.tif 000003
【００２７】
従って、音声選択状態にある音声信号の感度が最大になるようにするためには、共振周波数ｆ１が音声選択状態にある音声信号の搬送周波数と最も近づくようにすればよい。具体的には、音声信号が搬送周波数の異なる複数の音声要素を含んで構成されているとき、各音声要素の搬送周波数の平均値又は他のルールに基づいて決定された代表値が、感度調整回路部１６の共振周波数ｆ１と最も近くなるように、キャパシタＣ１のキャパシタンスとコイルＬ１のインダクタンスとを適切な値に調整すればよい。つまり、チャンネル選択スイッチＳＷは、感度調整回路部１６の共振周波数が音声選択状態にある音声信号の搬送周波数と最も近づくように、複数の共振回路１４、１５の何れかをフォトダイオード１１の出力端子側に対して切り換えて接続するように構成されている。
【００２８】
また、チャンネル選択スイッチＳＷがＢ側（Ｂ−ＣＨ）に切り換え操作されている場合、フォトダイオード１１の出力端子側には共振回路１５が接続され、且つ、フォトダイオード１１から出力される赤外線受信信号は復調回路１８で復調される。このとき、フォトダイオード１１には見かけ上、キャパシタＣｄが並列接続された状態となっているので、共振回路１５と上記キャパシタＣｄとを含む回路の共振周波数：ｆ２は以下の数２で表すことができる。
【００２９】
【数２】
2006222767.tif 000004
【００３０】
従って、音声選択状態にある音声信号の感度が最大になるようにするためには、共振周波数ｆ２が音声選択状態にある音声信号の搬送周波数と最も近づくようにすればよい。具体的には、音声信号が搬送周波数の異なる複数の音声要素を含んで構成されているとき、各音声要素の搬送周波数の平均値又は他のルールに基づいて決定された代表値が、感度調整回路部１６の共振周波数ｆ２と最も近くなるように、キャパシタＣ２のキャパシタンス（「Ｃ２」と記載する）とコイルＬ２のインダクタンス（「Ｌ２」と記載する）とを適切な値に調整すればよい。つまり、チャンネル選択スイッチＳＷは、感度調整回路部１６の共振周波数が音声選択状態にある音声信号の搬送周波数と最も近づくように、複数の共振回路１４、１５の何れかをフォトダイオード１１の出力端子側に対して切り換えて接続するように構成されている。
【００３１】
本実施形態では、再生装置１から出力される音声信号が日本語音声信号と英語音声信号とを含み、その日本語音声信号（ステレオ音声）の各音声要素（右側用音声要素及び左側用音声要素）が２．３ＭＨｚ及び２．８ＭＨｚの搬送周波数の赤外線信号で赤外線送信装置５から送出され、且つ、英語音声信号（ステレオ音声）の各音声要素（右側用音声要素及び左側用音声要素）が３．２ＭＨｚ及び３．８ＭＨｚの搬送周波数の赤外線信号で赤外線送信装置５から送出される。また、復調回路１７は２．３ＭＨｚ及び２．８ＭＨｚの周波数を選択的に取り出すバンドパスフィルタの機能を有しており、復調回路１８は３．２ＭＨｚ及び３．８ＭＨｚの周波数を選択的に取り出すバンドパスフィルタの機能及び信号増幅機能を有している。
従って、チャンネル選択スイッチＳＷがＡ側（Ａ−ＣＨ）に切り換え操作されているときには、復調回路１７によって２．３ＭＨｚ及び２．８ＭＨｚの搬送周波数の赤外線受信信号を復調するために、共振周波数ｆ１を２．３ＭＨｚ及び２．８ＭＨｚと最も近づくように（例えば、両者の平均値である約２．６ＭＨｚと近づくように）している。図４に示すように、チャンネル選択スイッチＳＷがＡ側Ａ−ＣＨ）に切り換え操作されているときの復調回路部２０からの出力（図３に示す測定点Ｍで測定）は２．３ＭＨｚの信号及び２．８ＭＨｚの信号に関して略同じであり、日本語のステレオ音声に含まれる各音声要素が略同じ感度で出力されていることが分かる。
【００３２】
また、チャンネル選択スイッチＳＷがＢ側（Ｂ−ＣＨ）に切り換え操作されているときには、復調回路１８によって３．２ＭＨｚ及び３．８ＭＨｚの搬送周波数の赤外線信号を復調するために、共振周波数ｆ２を３．２ＭＨｚ及び３．８ＭＨｚと近づくように（例えば、両者の平均値である約３．５ＭＨｚと近づくように）している。
図５に破線で示すのは、チャンネル選択スイッチＳＷがＢ側（Ｂ−ＣＨ）に切り換え操作されているときの復調回路部２０からの出力（図３に示す測定点Ｍで測定）であるが、３．２ＭＨｚの信号の方が３．８ＭＨｚの信号よりも感度が低くなっている。このため、英語のステレオ音声を構成する各音声要素が互いに異なる感度で出力されるという問題が発生している。このような場合、共振周波数ｆ２を低周波数側にシフトさせるようにキャパシタＣ２のキャパシタンスとコイルＬ２のインダクタンスとを調整することで、図５に実線で示すような感度カーブが得られる。その結果、チャンネル選択スイッチＳＷがＢ側（Ｂ−ＣＨ）に切り換え操作されているときの復調回路部２０からの出力は、３．２ＭＨｚの信号及び３．８ＭＨｚの信号が略同じになるので、英語のステレオ音声に含まれる各音声要素が略同じ感度で出力されていることが分かる。
【００３３】
以上のように、本発明に係る赤外線受信装置では、複数チャンネルに多重化された音声信号の内、選択された音声信号が適切な感度で出力されることになり、且つ、選択された音声信号においてステレオ音声を構成する各音声要素も互いに略等しい感度で出力されることになるので、チャンネルを切り換えたとしても各音声が聞きやすい状態が維持される。
【００３４】
＜別実施形態＞
＜１＞
上記実施形態においてチャンネル選択スイッチＳＷの詳細については説明していないが、人間の操作入力によって切り換わる機械的スイッチを用いて実現する場合や、人間の操作入力によって切り換わる機械的スイッチと半導体スイッチング素子を用いた電気的スイッチ（例えば、ＧａＡｓＦＥＴなど）とを組み合わせて実現する場合など、様々なスイッチを用いて構成することができる。
【００３５】
＜２＞
上記実施形態では、再生装置１と赤外線送信装置５と赤外線受信装置６とを備えた赤外線送受信システムが自動車内に設置された例について説明したが、設置場所に限定は無く、部屋の中などの他の場所に設置してもよい。
【００３６】
＜３＞
上記実施形態では、日本語音声や英語音声といった各音声信号が、左側用音声と右側用音声という２個の音声要素を含むステレオ音声で構成されている場合について説明したが、例えば４個の音声要素で構成された音（音楽、音声、効果音などのあらゆる音を含む）というように更に多数の音声要素で構成されていてもよい。その場合、図４及び図５に示したように、各音声要素の搬送周波数の平均値又はその他の代表値を、感度調整回路部の共振周波数と近い値として、各音声要素の出力感度が互いに略等しくなるように、共振回路の構成（キャパシタ、コイル、抵抗など）を変更して上記共振周波数を調整すればよい。
【産業上の利用可能性】
【００３７】
本発明に係る赤外線受信装置は、日本語音声や英語音声といった複数の音声を、その時々で選択して聞くためのシステムに利用することができる。
【図面の簡単な説明】
【００３８】
【図１】赤外線送受信システムの概略図
【図２】赤外線受信装置の概略図
【図３】赤外線受信装置の回路図
【図４】赤外線受信装置の出力特性を示すグラフ
【図５】赤外線受信装置の出力特性を示すグラフ
【図６】従来の赤外線受信装置の回路図
【符号の説明】
【００３９】
６  赤外線受信装置
１１  フォトダイオード
１４  共振回路
１５  共振回路
１６  感度調整回路部
２０  復調回路部
ＳＷ  チャンネル選択スイッチ（選択状態設定手段）
【図１】
2006222767.tif 000005
【図２】
2006222767.tif 000006
【図３】
2006222767.tif 000007
【図４】
2006222767.tif 000008
【図５】
2006222767.tif 000009
【図６】
2006222767.tif 000010